(57)【要約】  汚水タンク密封構造は、汚水タンク（１）に設置された座体（２）と、座体に可動に設置されたリンク機構（３）と、リンク機構に接続された密封蓋（４）であって、汚水入口（１０１）及び排気口（１０２）に位置する密封蓋（４）と、リンク機構に接続された押棒（５）であって、汚水入口及び排気口を密封するようにリンク機構を動かして密封蓋を押圧させるための押棒（５）と、を含む。押棒は、その下端が床洗浄機の辺縁輪モジュールに接続され、かつ辺縁輪モジュールと共に同期に上下移動する。リンク機構により密封蓋と、辺縁輪モジュールに接続された押棒をそれぞれ接続し、辺縁輪モジュールで押棒を動かして上下移動させ、リンク機構を同期に動かして密封蓋を下へ押圧させ又は上に持ち上げ、それによって、汚水入口及び排気口を密封また開けることを実現し、床洗浄機の全体又は汚水タンクが持ち上げられる際に汚水タンクの汚水入口からの水漏れを回避し、ユーザーエクスペリエンス効果を向上させると同時に、床洗浄機の内部部品を保護し、使用寿命を延ばすことができる。
2019526364.tif 000002
【特許請求の範囲】
【請求項１】
床洗浄機の汚水タンクに装着され、かつ汚水入口及び排気口を密封するための汚水タンク密封構造であって、前記汚水タンク密封構造が、
前記汚水タンクに設置された座体と、
前記座体に可動に設置されたリンク機構と、
前記リンク機構に接続された密封蓋であって、前記汚水入口及び前記排気口に位置する密封蓋と、
前記リンク機構に接続された押棒であって、前記汚水入口及び前記排気口を密封するように前記リンク機構を動かして前記密封蓋を押圧させるための押棒と、を含み、
前記押棒が、その下端が前記床洗浄機の辺縁輪モジュールに接続されており、かつ前記辺縁輪モジュールと共に同期に上下移動することを特徴とする、汚水タンク密封構造。
【請求項２】
前記リンク機構は、
前記座体に可動に設置されたリンクモジュールと、
前記リンクモジュールを復位させるためのネジリバネと、を含み、
前記密封蓋は、前記リンクモジュールの一方の側に接続されており、
前記押棒は、上端が前記リンクモジュールの他方の側に接続されていることを特徴とする、請求項１に記載の汚水タンク密封構造。
【請求項３】
前記リンクモジュールは、
前記座体に回転可能に設置された回転軸と、
前記回転軸の両端で同じ側に接続されている一対のカンチレバーと、
前記回転軸に接続された第１リンクであって、前記カンチレバーの反対側に位置する第１リンクと、
前記座体に回転可能に設置された第２リンクであって、前記第１リンクのサイドに位置する第２リンクと、を含み、
前記第２リンクは、一方の端が前記第１リンクの上端側に当接されており、他方の端が前記押棒の上端に接続されており、
前記ネジリバネは、前記回転軸に穿設されており、かつ前記ネジリバネの両端が前記座体及び前記第１リンクの下端側に当接されており、
前記密封蓋は、前記カンチレバーの外端に接続されていることを特徴とする、請求項２に記載の汚水タンク密封構造。
【請求項４】
前記座体は、第１支持台座と、第２支持台座と、を含み、
前記第２支持台座は、前記第１支持台座に対して垂直になっており、
前記回転軸は、前記第１支持台座に回転可能に設置されており、
前記第２リンクは、前記第２支持台座に回転可能に設置されていることを特徴とする、請求項３に記載の汚水タンク密封構造。
【請求項５】
前記座体は、案内孔を有する案内板をさらに含み、
前記案内板は、前記第２支持台座のサイドに平行に設置されており、
前記押棒は、前記案内孔の中に可動に穿設されていることを特徴とする、請求項４に記載の汚水タンク密封構造。
【請求項６】
前記第２リンクは、一方の相対する両側に突出した回転アームを有し、
前記第２支持台座には、前記回転アームに適応する収納溝が設けられており、
前記回転アームは、前記収納溝内に回転可能に収納されていることを特徴とする、請求項３に記載の汚水タンク密封構造。
【請求項７】
前記第１リンクの下端側に位置決め溝が設置されており、
前記ネジリバネは、一方の端が前記位置決め溝内に当接されていることを特徴とする、請求項３に記載の汚水タンク密封構造。
【請求項８】
前記辺縁輪モジュールは、伝動ボックスと、辺縁輪と、バネと、を含み、
前記伝動ボックスの一方の相対する両側は、それぞれ伝動端及び接続端であり、
前記接続端は、下側が前記床洗浄機の本体に回転可能に接続されており、
前記バネの両端は、前記接続端の上側及び前記床洗浄機の本体にそれぞれ接続されており、
前記辺縁輪は、前記伝動端に設置されており、
前記押棒の下端は、前記伝動端に接続されていることを特徴とする、請求項１から請求項７のいずれか一項に記載の汚水タンク密封構造。
【発明の詳細な説明】
【技術分野】
【０００１】
本発明は、床洗浄機の技術分野に属し、特に汚水タンクの密封構造に関する。
【背景技術】
【０００２】
環境衛生は、生活品質に影響を与える重要な要因であり、人々の生活品質が常に向上することが求められており、環境衛生への要求もますます高くなっている。しかし、近年、人々の仕事ストレスが日に日に溜まり、煩わしい掃除という家事から解放されたいため、環境衛生を改善するための様々な床掃除装置、例えば、掃除機、自動モップ掃除機、床掃除機、及び床洗浄機がどんどん発明された。
【０００３】
従来の床洗浄機の汚水タンクは、通常浮きブロック式密封技術を採用する。その原理は、以下のとおりである。密度が水より小さい浮きブロックを汚水の表面に浮かせる。浮きブロックは、汚水が一定の高さに達する際に、浮力の作用で上昇してかつ汚水吸入口を塞いで密封する。しかし、汚水が密封の高さに達しない場合、浮きブロックは、汚水吸入口を密封することができない。床洗浄機の全体、又は汚水タンクが持ち上がられると、水漏れが生じ、汚水が床洗浄機内のファンに入り、ファンモータを損壊し、又は汚水が外に流出する可能性があり、ユーザエクスペリエンスが悪くなる。
【発明の概要】
【発明が解決しようとする課題】
【０００４】
本発明の目的は、従来の技術に床洗浄機の汚水タンクが浮きブロック式密封技術を採用して水漏れなり易くという技術的問題を解決するために汚水タンク密封構造を提供することにある。
【課題を解決するための手段】
【０００５】
本発明の実施例が提供した汚水タンク密封構造は、床洗浄機の汚水タンクに装着され、かつ汚水入口及び排気口を密封するためのものであり、前記汚水タンクに設置された座体と、前記座体に可動に設置されたリンク機構と、前記リンク機構に接続された密封蓋であって、前記汚水入口及び前記排気口に位置する密封蓋と、前記リンク機構に接続された押棒であって、前記汚水入口及び前記排気口を密封するように前記リンク機構を動かして前記密封蓋を押圧させるための押棒と、を含む。前記押棒は、その下端が前記床洗浄機の辺縁輪モジュールに接続され、かつ前記辺縁輪モジュールと共に同期に上下移動する。
【０００６】
さらに、前記リンク機構は、前記座体に可動に設置されたリンクモジュールと、前記リンクモジュールを復位させるためのネジリバネと、を含む。前記密封蓋は、前記リンクモジュールの一方の側に接続されている。前記押棒は、上端が前記リンクモジュールの他方の側に接続されている。
【０００７】
さらに、前記リンクモジュールは、前記座体に回転可能に設置された回転軸と、前記回転軸の両端で同じ側に接続されている一対のカンチレバーと、前記回転軸に接続された第１リンクであって、前記カンチレバーの反対側に位置する第１リンクと、前記座体に回転可能に設置された第２リンクであって、前記第１リンクのサイドに位置する第２リンクと、を含む。前記第２リンクは、一方の端が前記第１リンクの上端側に当接され、他方の端が前記押棒の上端に接続されている。前記ネジリバネは、前記回転軸に穿設され、かつ前記ネジリバネの両端が前記座体及び前記第１リンクの下端側にそれぞれ当接されている。前記密封蓋は、前記カンチレバーの外端に接続されている。
【０００８】
さらに、前記座体は、第１支持台座と、第２支持台座と、を含む。前記第２支持台座は、前記第１支持台座に対して垂直になっている。前記回転軸は、前記第１支持台座に回転可能に設置されている。前記第２リンクは、前記第２支持台座に回転可能に設置されている。
【０００９】
さらに、前記座体は、また案内孔を有する案内板と、を含む。前記案内板は、前記第２支持台座のサイドに平行に設置されている。前記押棒は、前記案内孔の中に可動に穿設されている。
【００１０】
さらに、前記第２リンクは、一方の相対する両側に突出した回転アームを有する。前記第２支持台座には、前記回転アームに適応する収納溝が設けられている。前記回転アームは、前記収納溝内に回転可能に収納されている。
【００１１】
さらに、前記第１リンクの底部側に位置決め溝が設置されている。前記ネジリバネは、一方の端が前記位置決め溝内に当接されている。
【００１２】
さらに、前記辺縁輪モジュールは、伝動ボックスと、辺縁輪と、バネと、を含む。前記伝動ボックスの一方の相対する両側は、それぞれ伝動端及び接続端である。前記接続端は、下側が前記床洗浄機の本体に回転可能に接続されている。前記バネの両端は、前記接続端の上側及び前記床洗浄機の本体にそれぞれ接続されている。前記辺縁輪は、前記伝動端に設置されている。前記押棒の下端は、前記伝動端に接続されている。
【発明の効果】
【００１３】
本発明の実施例が提供した汚水タンク密封構造は、上記の技術的手段に基づき、従来の技術に比べ、以下の有益な効果を有する。リンク機構により汚水入口及び排気口を可動に密封するための密封蓋と、辺縁輪モジュールに接続された押棒をそれぞれ接続し、上下可動な辺縁輪モジュールで押棒を動かして上下移動させ、リンク機構を同期に動かして密封蓋を下へ押圧させ又は上へ持ち上げ、それによって、密封蓋が汚水入口及び排気口を密封また開けることを実現し、床洗浄機の全体又は汚水タンクを持ち上げる際に汚水タンクの汚水入口及び排気口の密封失敗による水漏れを回避し、さらに、汚水が汚水道から流れて床及び他のものを汚すことを回避するため、ユーザエクスペリエンス効果を向上させると同時に、また、汚水タンクの汚水入口及び排気口を効果的に密封するため、汚水が床洗浄機の内部に入って回路短絡を引き起こすという問題を回避し、使用寿命を延ばすことができる。
【図面の簡単な説明】
【００１４】
【図１】は本発明の汚水タンク密封構造が汚水タンクに装着される構造の概略図である。
【図２】は本発明の実施例による汚水タンク密封構造と辺縁輪モジュールとの嵌め合いを示す立体概略図である。
【図３】は本発明の実施例による汚水タンク密封構造と辺縁輪モジュールとの嵌め合いを示す断面概略図である。
【図４】は本発明の実施例による汚水タンク密封構造の立体概略図である。
【図５】は本発明の実施例による汚水タンク密封構造の分解概略図である。
【発明を実施するための形態】
【００１５】
本発明の技術的解決手段、目的及び利点をより明らかにするために、以下、図面及び実施例を併せて本発明をより詳細に説明する。以下に説明した具体的な実施例は、本発明を解釈するためものに過ぎず、本発明を限定するためものではないことを理解すべきである。
【００１６】
ある部品が他の部品に「固定される」又は「設置される」という場合に、それが他の部品に直接的に位置しても又はその中の部品に存在してもよいというふうに理解するために説明する必要がある。ある部品が他の部品に「接続される」という場合に、それが他の部品に直接的に接続されても又はその中の部品に存在してもよい。
【００１７】
また、方位用語において、「上」、「下」、「左」、「右」等が標示した方位又は位置関係は、図面に示された方位又は位置関係に基づいて本発明を説明しやすいためのものに過ぎず、本発明を限定するためものではないことを理解すべきである。以下、具体的な図面と併せて具体的な実施例により本発明を詳細に説明する。
【００１８】
図１から図５に示されているように、本発明の実施例が提供した汚水タンクの密封構造は、床洗浄機の汚水タンク１に装着され、かつ汚水タンク１の汚水入口１０１及び排気口１０２を密封するためのものである。汚水入口１０１は、汚水タンク１の汚水道の上端に設けられている。具体的に、該汚水タンク密封構造は、汚水タンク１に設置された座体２と、座体２に可動に設置されたリンク機構３と、汚水入口１０１及び排気口１０２にそれぞれ適応する第１密封蓋４１および第２密封蓋４２を含む密封蓋４と、押棒５と、を含む。そのうち、第１密封蓋４１と、第２密封蓋４２は、汚水入口１０１及び排気口１０２をそれぞれ可動に密封し、かつリンク機構３にそれぞれ接続されている。また、押棒５は、上端がリンク機構３に接続されてかつ汚水入口１０１及び排気口１０２を密封するようにリンク機構３を動かして第１密封蓋４１と第２密封蓋４２を押圧させるためのものであり、下端が床洗浄機の辺縁輪モジュール６に接続されている。辺縁輪モジュール６は、床洗浄機の本体に可動に接続されている。汚水タンク１又は床洗浄機の全体が床面から持ち上げられて宙吊り状態になる場合は、辺縁輪モジュール６は、一方の端が下へ移動し、押棒５を同期に動かして下へ垂直に移動すると同時に、リンク機構３は、第１密封蓋４１と第２密封蓋４２を下へ押圧して汚水入口１０１及び排気口１０２を密封する。逆に、床洗浄機の全体が床面に置かれる場合、辺縁輪モジュール６は、底面に接触して相対的に上へ移動し、押棒５を押して垂直に上へ移動させ、押棒５の上端がリンク機構３の一方の端を突き上げると同時に、リンク機構３は、第１密封蓋４１と第２密封蓋４２を上へ持ち上げて汚水入口１０１及び排気口１０２を開く。それによって、汚水は、汚水道により汚水入口１０１から汚水タンク１の内部空間に順調に入る。
【００１９】
上記のように、本発明の実施例が提供した汚水タンク密封構造は、リンク機構３により汚水入口１０１及び排気口１０２を可動に密封するための密封蓋４と、辺縁輪モジュール６に接続された押棒５をそれぞれ接続し、上下可動な辺縁輪モジュール６で押棒５を動かして上下移動させ、リンク機構３を同期に動かして密封蓋４を下へ押圧させ又は上に提げさせ、それによって、密封蓋４が汚水入口１０１及び排気口１０２を密封また開けることを実現し、床洗浄機の全体又は汚水タンク１を移動する際に汚水入口１０１及び排気口１０２が密封失敗による水漏れを回避し、さらに、汚水が汚水道から流れて床面及び他のものを汚すことを回避するため、ユーザーエクスペリエンス効果を向上させると同時に、また、汚水タンク１の汚水入口１０１及び排気口１０２を効果的に密封するため、汚水が床洗浄機の内部に入って回路短絡を引き起こすという問題を回避し、使用寿命を延ばすことができる。
【００２０】
さらに、本発明の実施例において、上記のリンク機構３は、リンクモジュール３１と、ネジリバネ３２と、を含んでもよい。そのうち、リンク機構３は、上記の座体２に可動に設置されている。上記の密封蓋４は、該リンクモジュール３１の一方の側に接続されている。具体的に、第１密封蓋４１と第２密封蓋４２は、該リンクモジュール３１の同じ側にそれぞれ接続されている。また、上記の押棒５は、その上端が該リンクモジュール３１の他方の側に接続されている。ネジリバネ３２は、リンク機構３に設置され、リンクモジュール３１を復位させるためのものである。もちろん、上記のリンク機構３は、他の組み合わせ形式であってもよいため、これに限定される必要はない。
【００２１】
さらに、本発明の実施例において、上記のリンクモジュール３１は、回転軸３１１と、カンチレバー３１２と、第１リンク３１３と、第２リンク３１４と、を含む。そのうち、回転軸３１１は、上記の座体２に設けられ、かつそれに回転可能に接続され、つまり座体２に軸方向に回転することができる。カンチレバー３１２は、回転軸３１１の両端で同じ側に接続されている一対のカンチレバー、つまり第１カンチレバー３１２１と、第２カンチレバー３１２２と、を含む。上記の第１密封蓋４１と第２密封蓋４２は、第１カンチレバー３１２１と、第２カンチレバー３１２２との外端にそれぞれ接続されている。本実施例において、第１リンク３１３は、回転軸３１１に接続されてかつカンチレバー３１２の反対側に位置し、好ましくは、板状のほうがよいが、他の形状でもよい。また、第２リンク３１４は、該座体２に回転可能に設置されて第１リンク３１３のサイドに位置し、一方の端が第１リンク３１３の上端側に当接され、他方の端が押棒５の上端に接続され、その中央部が座体２に回転可能に接続されている。つまり、第２リンク３１４は、シーソーに類似し、その一方の端が上へ移動すると、他方の端が下へ移動する。押棒５が上へ移動する場合、その上端が第２リンク３１４の一方の端を突き上げ、第２リンク３１４の他方の端を下へ移動させてかつ第１リンク３１３を下へ押圧する。第１リンク３１３が回転軸３１１を動かして時計回りに回転させると同時に、第１カンチレバー３１２１と、第２カンチレバー３１２２も、回転軸３１１に動かされて時計周り回転する。それによって、第１密封蓋４１と第２密封蓋４２が上へ持ち上げられ、汚水入口１０１及び排気口１０２を開く。
【００２２】
また、本実施例において、二つのネジリバネ３２は、上記の回転軸３１１に穿設され、回転軸３１１の両端に位置する。回転軸３１１に第１リンク３１３に近いネジリバネ３２は、その両端が座体２及び第１リンク３１３の下端側にそれぞれ当接されている。回転軸３１１の他方の端におけるネジリバネ３２は、両端が座体２及び当接板３１５の下端側にそれぞれ当接されている。当接板３１５は、回転軸３１１に一体接続されている。押棒５が下へ移動する場合、第２リンク３１４は、一方の端が押棒５と共に下へ移動すると同時に回転し、それにより他方の端が跳ね上がって第１リンク３１３の上端側から脱離すると同時に、ネジリバネ３２の回復力の作用下で、第１リンク３１３は、反時計周りに回転する。第１カンチレバー３１２１と、第２カンチレバー３１２２は、反時計周りに同期回転してかつ第１密封蓋４１と第２密封蓋４２を下へ押圧し、汚水入口１０１及び排気口１０２を密封する。上記のように、回転軸３１１と、カンチレバー３１２と、第１リンク３１３と、第２リンク３１４と、ネジリバネ３２と、押棒５との伝動して嵌め合いにより、汚水入口１０１及び排気口１０２を確実に密封させ、床洗浄機の全体又は汚水タンク１を移動する際に汚水入口１０１及び排気口１０２が密封失敗による水漏れ問題を効果的に回避することができる。本発明の他の実施例において、リンクモジュール３１は、他の組合せ形式であってもよいため、これに限定されるものではない。
【００２３】
さらに、本発明の実施例において、上記の回転軸３１１と、カンチレバー３１２と、第１リンク３１３は、一体成形されているため、カンチレバー３１２と、第１リンク３１３との回転一致性及び同期性を保証することができる。本発明の他の実施例において、実情及び具体的な需要に応じて、回転軸３１１と、カンチレバー３１２と、第１リンク３１３は、固定して接続されている分解部品であってもよいため、これに限定されるものではない。
【００２４】
さらに、本発明の実施例にいて、上記の座体２は、第１支持台座２１と、第２支持台座２２と、を含んでもよい。該第２支持台座２２は、第１支持台座２１のサイドに位置しており、かつ第１支持台座２１に対して垂直になっている。上記の回転軸３１１は、第１支持台座２１に回転可能に設置されている。上記の第２リンク３１４は、第２支持台座２２に回転可能に設置されている。本発明の他の実施例において、実情及び具体的な需要に応じて、上記の座体２は、他の構造形式であってもよいため、これに限定されるものではない。
【００２５】
さらに、本発明の実施例にいて、上記の座体２は、前記座体は、案内板２３と、を含んでもよい。該案内板２３は、第２支持台座２２のサイドに平行に設置され、かつ第１支持台座２１と一体になるように接続され、案内孔２３０を有する。上記の押棒５は、該案内孔２３０の中に可動に穿設されている。案内孔２３０を有する案内板２３の設置により、押棒５は、ずれせず上下移動し、その移動確実性を保証する。もちろん、本発明の他の実施例において、実情及び具体的な需要に応じて、他の方式により押棒５を案内して上下移動させるため、これに限定されるものではない。
【００２６】
さらに、本発明の実施例にいて、上記の第２リンク３１４は、一方の相対する両側へ突出した回転アーム３１４１を有する。対応的に、上記の第２支持台座２２には、該回転アーム３１４１に適応する収納溝２２０が設けられている。回転アーム３１４１は、該収納溝２２０内に回転可能に収納されている。もちろん、本発明の他の実施例において、実情及び具体的な需要に応じて、上記の第２リンク３１４は、他の方式により第２支持台座２２に回転可能に設置されているため、これに限定されるものではない。
【００２７】
さらに、本発明の実施例にいて、上記の第１リンク３１３の底部側に位置決めための位置決め溝３１３０が設置されている。上記の回転軸３１１に覆設されたネジリバネ３２は、一方の端が該位置決め溝３１３０内に当接され、他方の端が上記の第１支持台座２１に当接されている。また、回転軸３１１に覆設された他の一つのネジリバネ３２は、一方の端が上記の当接板３１５の底部側の位置決め溝３１５０に当接され、他方の端が上記の第１支持台座２１に当接されている。位置決め溝の設置により、ネジリバネ３２が横方向に移動することを効果的に回避し、回転軸３１１におけるネジリバネ３２の位置安定性を保証することができる。もちろん、本発明の他の実施例において、実情及び具体的な需要に応じて、他の方式によりネジリバネ３２を位置決めするため、これに限定されるものではない。
【００２８】
さらに、本発明の実施例にいて、図２と図３に示されているように、上記の辺縁輪モジュール６は、伝動ボックス６１と、辺縁輪６２と、バネ６３と、を含んでもよい。そのうち、伝動ボックス６１の一方の相対する両側は、それぞれ伝動端６１１及び接続端６１２である。接続端６１２は、下側が床洗浄機の本体７に回転可能に接続されている。つまり、辺縁輪モジュール６の全体は、接続端６１２の回転中心を中心として回転することができる。バネ６３の両端は、接続端６１２の上側及び床洗浄機の本体７における接続柱７１にそれぞれ接続されている。該接続柱７１は、床洗浄機の本体７が伝動端６１１に近い位置に位置する。また、辺縁輪６２は、伝動端６１１に設置されている。押棒５の下端は、該伝動端６１１の側壁に接続されている。それによって、汚水タンク１又は床洗浄機の全体が地面から持ち上げられる場合、辺縁輪６２及び伝動ボックス６１の伝動端６１１は、宙に浮く。バネ６３の引っ張り力の作用下で、接続端６１２がその回転中心を中心として回転し、辺縁輪６２は、伝動端６１１と共に下へ移動し、押棒５を動かして下へ移動させ、汚水入口１０１及び排気口１０２を確実に密封する。逆に、床洗浄機の全体が床面に置かれる場合、辺縁輪６２は、底面に接触して突き上げられ、押棒５を上へ移動し、汚水入口１０１及び排気口１０２を開く。もちろん、本発明の他の実施例において、実情及び具体的な需要に応じて、上記の辺縁輪モジュール６は、他の構造であってもよい。
【００２９】
さらに、本発明の実施例にいて、好ましくは、上記の第１密封蓋４１と第２密封蓋４２は、柔軟なゴム蓋のほうかよい。もちろん、本発明の他の実施例において、実情及び具体的な需要に応じて、第１密封蓋４１と第２密封蓋４２は、他のタイプの密封蓋であってもよいため、これに限定されるものではない。
【００３０】
上記の実施例は本発明の具体的な実施例に過ぎない。本発明の保護範囲はこれに限定されない。本発明が掲示した技術的範囲内に、当業者であれば、簡単に思いつける変化又は取替は、本発明の保護範囲に含まれるはずである。従って、本発明の保護範囲は特許請求の範囲を基準とするはずである。
【符号の説明】
【００３１】
１  汚水タンク
２  座体
３  リンク機構
４  密封蓋
５  押棒
６  辺縁輪モジュール
７  本体
２１  第１支持台座
２２  第２支持台座
２３  案内板
３１  リンクモジュール
３２  ネジリバネ
４１  第１密封蓋
４２  第２密封蓋
６１  伝動ボックス
６２  辺縁輪
６３  バネ
７１  接続柱
１０１  汚水入口
１０２  排気口
２２０  収納溝
２３０  案内孔
３１１  回転軸
３１２  カンチレバー
３１３  第１リンク
３１４  第２リンク
３１５  当接板
６１１  伝動端
６１２  接続端
３１２１  第１カンチレバー
３１２２  第２カンチレバー
３１３０  溝
３１４１  回転アーム
３１５０  溝
【図１】
2019526364.tif 000003
【図２】
2019526364.tif 000004
【図３】
2019526364.tif 000005
【図４】
2019526364.tif 000006
【図５】
2019526364.tif 000007
【国際調査報告】
2019526364.tif 000008
2019526364.tif 000009
2019526364.tif 000010
2019526364.tif 000011